(57)【特許請求の範囲】
【請求項１】
インキを収容するインキ収容部を軸方向前方に規定する筒形のインキタンクと、
前記インキ収容部の内周面に当該インキ収容部の軸方向に摺動可能且つ液密に嵌め込まれたフランジ部と、当該フランジ部から前記インキタンクの軸方向後方に向かって伸長するロッドと、を有するピストンと、
前記インキタンクの軸方向後方に当該インキタンクに対して回転可能に当該インキタンクの内側に接続されたノブと、
を備え、
前記ロッドの少なくとも一部には、断面が非円形とされた被ガイド部が形成されており、
前記ロッドの被ガイド部の側面の少なくとも一部には、雄ネジ部が形成されており、
前記ノブの少なくとも前方領域は、雌ネジ部を有する中空筒状であり、
前記ロッドの雄ネジ部と前記ノブの雌ネジ部とが互いに螺合しており、
前記インキタンクの前記インキ収容部よりも軸方向後方に、前記ロッドの被ガイド部の側面の少なくとも一部を軸方向に摺動させるガイド部を有するピストンガイドが、内嵌されており、
前記ロッドの前記被ガイド部よりも軸方向後方には、当該軸方向に見て前記ガイド部の少なくとも一部と重なる張出部が形成されている
ことを特徴とするインキ吸入器。
【請求項２】
前記ピストンガイドは、Ｕ字状の断面を有している
ことを特徴とする請求項１に記載のインキ吸入器。
【請求項３】
前記ガイド部は、対向する互いに平行な２つの平面として形成されている
ことを特徴とする請求項１または２に記載のインキ吸入器。
【請求項４】
前記ピストンガイドのＵ字状の断面における一対の脚部の端部間の離間距離は、前記ガイド部としての２つの平面の離間距離よりも小さい
ことを特徴とする請求項３に記載のインキ吸入器。
【請求項５】
前記ピストンガイドの軸方向の少なくとも一部の外周面には、断面が非円形とされた第２被ガイド部が設けられており、
前記インキタンクの前記インキ収容部よりも軸方向後方の少なくとも一部の内周面には、前記第２被ガイド部を軸方向に摺動させる第２ガイド部が設けられている
ことを特徴とする請求項１乃至４のいずれかに記載のインキ吸入器。
【請求項６】
請求項１乃至５のいずれかに記載のインキ吸入器と、
ペン先及び当該ペン先に至るインキ連通孔を有するペン先支持部と、
を備えたことを特徴とする万年筆。
【請求項７】
請求項１乃至５のいずれかに記載のインキ吸入器と、
ペン先及び当該ペン先に至るインキ連通孔を有するペン先支持部と、
を一体に備えたことを特徴とする万年筆。
【発明の詳細な説明】
【技術分野】
【０００１】
本発明は、万年筆等のインキ吸入器に関する。より詳しくは、万年筆等のペン先をインキ容器内のインキに浸した状態で、ノブを回転操作することに伴うピストンの前後移動によってインキを吸入するタイプのインキ吸入器に関する。
【背景技術】
【０００２】
図９は、万年筆等に使用されている従来のインキ吸入器５００の概略縦断面図である。図９に示されるように、従来のインキ吸入器５００は、インキを収容するインキ収容部５１１ｃを軸方向前方に規定する筒形のインキタンク５１０と、インキ収容部５１１ｃの内周面に当該インキ収容部５１１ｃの軸方向に摺動可能且つ液密に嵌め込まれたフランジ部５２２と、当該フランジ部５２２からインキタンク５１０の軸方向後方に向かって伸長するロッド５２１と、を有するピストン５２０と、インキタンク５１０の軸方向後方に当該インキタンク５１０に対して回転可能に接続されたノブ５３０と、を備えている。ピストン５２０のロッド５２１の少なくとも一部の側面には、雄ネジ部５２３ｓが形成されており、ノブ５３０の少なくとも前方領域は、雌ネジ部５３０ｓを有する中空筒状であり、ロッド５２１の雄ネジ部５２３ｓとノブ５３０の雌ネジ部５３０ｓとが互いに螺合している。
【０００３】
インキタンク５１０の軸方向後方には、当該インキタンク５１０の外周よりも大径の筒形のカバー５５０の一側が接着固定されている。当該カバー５５０の他側は、ノブ５３０の軸方向前方の外周よりも大径となっており、当該カバー５５０の他側端には絞り部が設けられていて、ノブ５３０の外周に設けられたフランジの軸方向後方への移動を規制しつつ、当該カバー５５０に対して回転可能であるようにノブ５３０を支持している。
【０００４】
一般に、インキタンク５１０の軸方向後方への筒形のカバー５５０の一側の接着固定には、雄ネジ部と雌ネジ部とによる螺合（螺着）が併用され得る。通常、インキタンク５１０は透明樹脂製であり、ノブ５３０及びピストン５２０は有色樹脂製であり、カバー５５０は金属製である。
【０００５】
以上のようなインキ吸入器５００は、特許第４５９６６７５号公報（特許文献１）、特許第５３８８３６０号公報（特許文献２）及び特開２０１３−４３２８５号公報（特許文献３）などに開示されている。
【０００６】
以上のようなインキ吸入器５００にインキを吸入させるには、まず万年筆等のケーシングを取り外してインキ吸入器５００のノブ５３０を露出させる。そして、必要に応じて当該ノブ５３０を一方向（図９のＡの方向）に回転操作して、ピストン５２０をインキタンク５１０の軸方向の最も前方に位置させる。次いで、万年筆等のペン先をインキ容器内のインキに浸し、その状態でノブ５３０を反対方向（図９のＢの方向）に回転操作する。これに伴って、インキタンク５１０内のピストン５２０は当該インキタンク５１０の軸方向後方へ移動する。これにより、インキタンク５１０内に負圧が生じて、インキがインキ容器内からペン先を介してインキタンク５１０内に吸入される。
【先行技術文献】
【特許文献】
【０００７】
【特許文献１】特許第４５９６６７５号公報
【特許文献２】特許第５３８８３６０号公報
【特許文献３】特開２０１３−４３２８５号公報
【発明の概要】
【発明が解決しようとする課題】
【０００８】
一般に、インキタンクのインキ収容部の内周面には、軸方向の一部にピストンのフランジ部のストッパとしての突条ないし段部が形成されていて、インキタンクの軸方向前方へ移動したピストンのフランジ部が、前記突条ないし段部に当接するようになっている。これにより、ロッドの雄ネジ部がノブの雌ネジ部から抜け落ちることが防止されている。
【０００９】
しかしながら、このような機構の場合、インキ吸入器の繰り返しの使用によって、ピストンのフランジ部が突条ないし段部に繰り返し当接されるため、フランジ部が早期に劣化してしまい、インキ漏れやインキの吸入不良等の問題が早期に発現してしまう場合がある。
【００１０】
本発明は、以上のような問題に鑑みて、当該インキ吸入器の繰り返しの使用によっても、ピストンのフランジ部が早期に劣化することのないインキ吸入器を提供することを課題とする。
【課題を解決するための手段】
【００１１】
本発明は、インキを収容するインキ収容部を軸方向前方に規定する筒形のインキタンクと、前記インキ収容部の内周面に当該インキ収容部の軸方向に摺動可能且つ液密に嵌め込まれたフランジ部と、当該フランジ部から前記インキタンクの軸方向後方に向かって伸長するロッドと、を有するピストンと、前記インキタンクの軸方向後方に当該インキタンクに対して回転可能に当該インキタンクの内側に接続されたノブと、を備え、前記ロッドの少なくとも一部には、断面が非円形とされた被ガイド部が形成されており、前記ロッドの被ガイド部の側面の少なくとも一部には、雄ネジ部が形成されており、前記ノブの少なくとも前方領域は、雌ネジ部を有する中空筒状であり、前記ロッドの雄ネジ部と前記ノブの雌ネジ部とが互いに螺合しており、前記インキタンクの前記インキ収容部よりも軸方向後方に、前記ロッドの被ガイド部の側面の少なくとも一部を軸方向に摺動させるガイド部を有するピストンガイドが、内嵌されており、前記ロッドの前記被ガイド部よりも軸方向後方には、当該軸方向に見て前記ガイド部の少なくとも一部と重なる張出部が形成されていることを特徴とするインキ吸入器である。
【００１２】
本発明によれば、ロッドの被ガイド部よりも軸方向後方には、当該軸方向に見てガイド部の少なくとも一部と重なる張出部が形成されている。これにより、ノブを回転操作することに伴ってピストンがインキタンクの軸方向前方へ移動していくと、ロッドの張出部とピストンガイドとが当接して、ロッドの雄ネジ部がノブの雌ネジ部から抜け落ちることが防止される。この結果、ピストンのフランジ部をインキ収容部の内周面の突条ないし段部に当接させる必要が無いため、ピストンの早期の劣化を防止することができる。
【００１３】
好ましくは、前記ピストンガイドは、Ｕ字状の断面を有している。この場合、組み立て作業者は、ピストンガイドを、Ｕ字状の断面における一対の脚部の端部の側から容易にピストンの被ガイド部に嵌め入れることができる。このため、インキ吸入器の組み立て工程を簡素化することができる。
【００１４】
また、好ましくは、前記ガイド部は、対向する互いに平行な２つの平面として形成されている。この場合、ピストンガイドのガイド部は、ピストンの被ガイド部を平面領域で摺動させるため、当該被ガイド部を一層安定的にガイドすることができる。
【００１５】
また、好ましくは、前記ピストンガイドのＵ字状の断面における一対の脚部の端部間の離間距離は、前記ガイド部としての２つの平面の離間距離よりも小さい。この場合、ピストンガイドのＵ字状の断面における一対の脚部の端部が、当該ピストンガイドのＵ字状の断面における一対の脚部の端部の側へ向かう被ガイド部の動きを規制するため、当該被ガイド部を極めて安定的にガイドすることができる。
【００１６】
また、好ましくは、前記ピストンガイドの軸方向の少なくとも一部の外壁には、断面が非円形とされた第２被ガイド部が設けられており、前記インキタンクの前記インキ収容部よりも軸方向後方の少なくとも一部の内周面には、前記第２被ガイド部を軸方向に摺動させる第２ガイド部が設けられている。この場合、第２ガイド部と第２被ガイド部とによってピストンガイドをインキタンク内の所定位置まで容易にガイドすることができる。
【００１７】
また、以上のようなインキ吸入器を備えた万年筆も本出願の権利範囲にある。すなわち、本発明は、以上のようなインキ吸入器と、ペン先及び当該ペン先に至るインキ連通孔を有するペン先支持部と、を備えたことを特徴とする万年筆である。更には、本発明は、以上のようなインキ吸入器と、ペン先及び当該ペン先に至るインキ連通孔を有するペン先支持部と、を一体に備えたことを特徴とする万年筆である。
【発明の効果】
【００１８】
本発明によれば、ノブを回転操作することに伴ってピストンがインキタンクの軸方向前方へ移動していくと、ロッドの張出部とピストンガイドとが当接して、ロッドの雄ネジ部がノブの雌ネジ部から抜け落ちることが防止される。この結果、ピストンのフランジ部をインキ収容部の内周面の突条ないし段部に当接させる必要が無いため、ピストンの早期の劣化を防止することができる。
【図面の簡単な説明】
【００１９】
【図１】本発明の一実施の形態のインキ吸入器の概略縦断面図である。図１（Ａ）は、ピストンが軸方向の最も後方にある状態を示す図であり、図１（Ｂ）は、ピストンが軸方向の最も前方にある状態を示す図である。
【図２】図１のインキ吸入器のインキタンクの概略図である。図２（Ａ）は、インキタンクの概略縦断面図であり、図２（Ｂ）は、図２（Ａ）の右方向から見たインキタンクの概略正面図であり、図２（Ｃ）は、図２（Ａ）のＣ−Ｃ線断面図である。
【図３】図１のインキ吸入器のピストンの概略図である。図３（Ａ）は、ピストンの概略側面図であり、図３（Ｂ）は、図３（Ａ）のＢ−Ｂ線断面図であり、図３（Ｃ）は、図３（Ａ）のＣ−Ｃ線断面図である。
【図４】図１のインキ吸入器のノブの概略縦断面図である。
【図５】図１のインキ吸入器のピストンガイドの概略正面図である。
【図６】図１のインキ吸入器のカバーの概略縦断面図である。
【図７】図１のインキ吸入器の組み立て方法の一例を説明するための図である。図７（Ａ）は、インキタンクにグリスを塗布する工程を示す図であり、図７（Ｂ）は、インキタンクにピストンを挿入する工程を示す図であり、図７（Ｃ）は、ピストンにピストンガイドを組み付ける工程を示す図であり、図７（Ｄ）は、ピストンのロッドにノブを螺合させる工程を示す図であり、図７（Ｅ）は、インキタンクにノブを係合する工程を示す図であり、図７（Ｆ）は、インキタンクの軸方向後方にカバーを嵌める工程を示す図である。
【図８】本発明の一実施の形態のインキ吸入器と一体の万年筆を示す概略縦断面図である。
【図９】従来のインキ吸入器の概略縦断面図である。
【発明を実施するための形態】
【００２０】
以下に、添付の図面を参照して本発明の一実施の形態を詳細に説明する。
【００２１】
図１は、本発明の一実施の形態のインキ吸入器１００の概略縦断面図である。図１（Ａ）は、ピストン２０が軸方向の最も後方にある状態を示す図であり、図１（Ｂ）は、ピストン２０が軸方向の最も前方にある状態を示す図である。
【００２２】
図１に示すように、本発明の一実施の形態のインキ吸入器１００は、インキを収容するインキ収容部１１ｃを軸方向前方に規定する筒形のインキタンク１０と、インキ収容部１１ｃの内周面に当該インキ収容部１１ｃの軸方向に摺動可能かつ液密に嵌め込まれたフランジ部２２と、当該フランジ部２２からインキタンク１０の軸方向後方に向かって伸長するロッド２１と、を有するピストン２０と、インキタンク１０の軸方向後方に当該インキタンク１０に対して回転可能に当該インキタンク１０の内側に接続されたノブ３０と、を備えている。
【００２３】
図２は、図１のインキ吸入器１００のインキタンク１０の概略図である。図２（Ａ）は、インキタンク１０の概略縦断面図であり、図２（Ｂ）は、図２（Ａ）の右方向から見たインキタンク１０の概略正面図であり、図２（Ｃ）は、図２（Ａ）のＣ−Ｃ線断面図である。
【００２４】
図２（Ａ）に示すように、インキタンク１０には、その軸方向後方にスリーブ部１２が形成されている。インキタンク１０の全長は４９．６ｍｍであり、その軸方向前方の３４．５ｍｍの領域に内径５．６７ｍｍ、外径７．２ｍｍの円筒状部１１によってインキ収容部１１ｃが規定されている。円筒状部１１の軸方向後方には１５．１ｍｍの長さを有するスリーブ部１２が連続している。スリーブ部１２の内径は４．９ｍｍであるが、スリーブ部１２の外側表面上に高摩擦部１３が設けられている。具体的には、本実施の形態の高摩擦部１３は、インキタンク１０の軸方向に略等間隔で５カ所に設けられた、インキタンク１０の周方向に延在する突条１４として設けられている。円筒状部１１の内周面とスリーブ部１２の内周面とは、テーパ推移部１１ｔを介して連続している。
【００２５】
また、インキタンク１０の軸方向後方に位置するスリーブ部１２の内周面上には、図２（Ｂ）に示すように、その上方側及び下方側のそれぞれに、軸方向に沿って所定高さだけ隆起した隆起部１９ａ、１９ｂが設けられている。但し、当該隆起部１９ａ、１９ｂは、図２（Ａ）に示す上方切り欠き１６ａ及び下方切り欠き１６ｂによって、軸方向の一部において中断されている。上方切り欠き１６ａ及び下方切り欠き１６ｂは、それぞれ軸方向長さが１．１５ｍｍであり、図２（Ｃ）に示すように、高さｈ＝１．２２５ｍｍ分だけ切り欠かれるように形成されている。
【００２６】
また、図２（Ａ）及び図２（Ｂ）に示すように、インキタンク１０の軸方後方に位置するスリーブ部１２の内周面の左右２カ所には、溝部１７が第２ガイド部として設けられている。本実施の形態の溝部１７は、それぞれ、幅１．１ｍｍ、幅方向中央の深さ０．８７５ｍｍのコ字状の断面を有しており、スリーブ部１２の軸方向後方の端部に１４．２ｍｍの長さで形成されている。
【００２７】
また、スリーブ部１２の軸方向の一部には、第２被係合部が形成されている。本実施の形態では、図２（Ａ）に示すように、スリーブ部１２の外側表面の上下２カ所において軸方向後方の端部から３．４ｍｍの位置を中心として軸方向に０．５ｍｍの幅を有する突部１５が、第２被係合部として、周方向に１２０°に亘るように形成されている。
【００２８】
更に、図２（Ｂ）に示すように、スリーブ部１２の軸方向後方の端部には、左右２カ所においてそれぞれ長さ３．３５ｍｍで幅０．７ｍｍの切り込み１８が設けられていて、拡径可能となっている。
【００２９】
図３は、図１のインキ吸入器１００のピストン２０の概略図であり、図３（Ａ）は、ピストン２０の概略側面図であり、図３（Ｂ）は、図３（Ａ）のピストン２０のＢ−Ｂ線断面図であり、図３（Ｃ）は、図３（Ａ）のピストン２０のＣ−Ｃ線断面図である。
【００３０】
図３（Ａ）に示されるように、ピストン２０のロッド２１には、少なくとも一部の側面に、雄ネジ部２３ｓが形成されている。本実施の形態では、図３（Ｂ）に示すように、ロッド２１の全体が、円柱形状をその軸線方向に平行で且つ互いに平行に対向する２つの平面で同一の深さに面取りした形状の断面、すなわち、長方形の対向する２つの短辺を円弧状に張り出させた形状の断面、を有する被ガイド部２３として形成されている。そして、被ガイド部２３の円弧状に張り出した領域の、軸方向について大部分に、雄ネジ部２３ｓが形成されている。
【００３１】
本実施の形態では、ピストンの全長は２６．７ｍｍであり、フランジ部２２の長さが２．４ｍｍであり、ロッド２１の長さが２４．３ｍｍである。また、フランジ部２２の直径は５．５９ｍｍである。また、ロッド２１（被ガイド部２３）の雄ネジ部２３ｓは、外径が３．１ｍｍ、谷径が２．５ｍｍ、有効径が２．７５ｍｍであり、被ガイド部２３の厚さ（被ガイド部２３の対向する２つの平面間の距離）は、１．７ｍｍである。
【００３２】
更に、本実施の形態では、図３（Ｃ）に示すように、被ガイド部２３の軸方向後方に、それぞれ円弧状に張り出した張出部２４が形成されており、当該張出部２４は、雄ネジ部２３ｓの谷径と略同一の直径を有している。
【００３３】
図４は、図１のインキ吸入器１００のノブ３０の概略縦断面図である。ノブ３０の少なくとも前方領域は、雌ネジ部３０ｓを有する中空筒状である。本実施の形態では、図４に示すように、ノブ３０の軸方向前方の端部は開放しているが、軸方向後方の端部は閉じており、内周面全体に雌ネジ部３０ｓが形成されている。そして、ノブ３０の雌ネジ部３０ｓは、ロッド２１の雄ネジ部２３ｓと互いに螺合するようになっている。本実施の形態では、ノブ３０の全長は２２．８ｍｍであり、雌ネジ部３０ｓの長さは２１．３ｍｍである。また、ノブ３０の軸方向後方に、使用者が当該ノブ３０を回転操作する際に把持するための、断面が略正八角形で軸方向後方に向かってやや先細りとされた、長さ９．１ｍｍの把持部が、設けられている。
【００３４】
更に、ノブ３０の軸方向の一部には、周方向の少なくとも一部にスリーブ部１２の上方切り欠き１６ａ及び下方切り欠き１６ｂに回転可能に係合される被係合部が形成されている。本実施の形態では、図４に示すように、ノブ３０の軸方向前方から１０．２ｍｍの位置を中心として軸方向に１ｍｍの幅を有する膨出部３１が、被係合部として、周方向に、高さ０．３２５ｍｍだけ膨出するように形成されている。膨出部３１の軸方向前方側は、テーパ状に面取りされている。
【００３５】
そして、上方切り欠き１６ａ及び下方切り欠き１６ｂとノブ３０の膨出部３１とは、切り込み１８の存在によってスリーブ部１２の軸方向後方の端部を一時的に拡径させることで、係合されるようになっている。
【００３６】
図５は、図１のインキ吸入器１００のピストンガイド４０の概略正面図である。本実施の形態のピストンガイド４０は、図５に示すように、Ｕ字状の断面を有していると共に、当該Ｕ字状断面における一対の脚部４２に、対向する互いに平行な２つの平面がガイド部４１として形成されている。本実施の形態では、ピストンガイド４０の厚み（軸方向の長さ）は、１．５ｍｍであり、Ｕ字状の断面における一対の脚部４２の外周は、直径４．７５ｍｍの円弧の一部を形成している。更に、ピストンガイド４０のＵ字状の断面における一対の脚部４２の端部４２ｅ間の離間距離は、１．６ｍｍであり、ガイド部４１の２つの平面の離間距離の１．９５ｍｍよりも小さくなっている。
【００３７】
また、図５に示すように、ピストンガイド４０の軸方向の左右２カ所の外周面には、断面が非円形とされた突起４３が第２被ガイド部として軸方向全体に亘って設けられている。本実施の形態の突起４３は、それぞれ、幅１ｍｍ、幅方向中央の高さ０．２７５ｍｍに形成されており、インキタンク１０のスリーブ部１２の内周面の左右２カ所に設けられた溝部１７と係合するようになっている。
【００３８】
本実施の形態のピストンガイド４０は、図１に示すように、スリーブ部１２に内嵌されており、ロッド２１の被ガイド部２３を軸方向に摺動させるようになっている。そして、ロッド２１の被ガイド部２３の軸方向後方に形成された張出部２４（図３（Ｃ）参照）は、当該軸方向に見てガイド部４１（脚部４２の対向する互いに平行な２つの平面）の少なくとも一部と重なるようになっている。
【００３９】
図６は、図１のインキ吸入器１００のカバー５０の概略縦断面図である。図６に示すように、カバー５０は、軸方向の長さが４．２ｍｍであり、内径が６．２５ｍｍであり、外径が６．７３ｍｍである円筒形状を有している。カバー５０の軸方向の少なくとも一部には、周方向の少なくとも一部に第２係合部が設けられている。本実施の形態では、図６に示すように、カバー５０の内周面に、当該カバー５０の軸方向の両端部からそれぞれ０．６ｍｍの位置を中心として軸方向に０．６ｍｍの幅を有する凹条５１が第２係合部として形成されている。
【００４０】
次に、図７を参照して、本発明の一実施の形態のインキ吸入器の組み立て方法の一例について説明する。図７（Ａ）は、インキタンク１０にグリスを塗布する工程を示す図であり、図７（Ｂ）は、インキタンク１０にピストン２０を挿入する工程を示す図であり、図７（Ｃ）は、ピストン２０にピストンガイド４０を組み付ける工程を示す図であり、図７（Ｄ）は、ピストン２０のロッド２１にノブ３０を螺合させる工程を示す図であり、図７（Ｅ）は、インキタンク１０にノブ３０を係合する工程を示す図であり、図７（Ｆ）は、インキタンク１０の軸方向後方にカバー４０を嵌める工程を示す図である。
【００４１】
まず、図７（Ａ）に示すように、インキタンク１０のインキ収容部１１ｃの内周面全体に、フランジ部２２の摺動を円滑にするためのグリスが、適宜の塗布具Ｔを用いて、塗布される。更に、図示されていないが、ピストン２０の雄ネジ部２３ｓを含む被ガイド部２３には、雄ネジ部２３ｓを含む被ガイド部２３の摺動等を円滑にするためのグリスが塗布される。
【００４２】
次に、図７（Ｂ）に示すように、ピストン２０のフランジ部２２が軸方向前方（図７（Ｂ）の左側）に位置する向きで、当該ピストン２０がインキタンク１０の軸方向前方（図７（Ｂ）の左側）からインキタンク１０内に挿入される。
【００４３】
次に、図７（Ｃ）に示すように、フランジ部２２の前面の形状に対応する先端形状を有する工具（図７（Ｃ）に破線で示されている）によって、インキタンク１０内に挿入されたピストン２０が、軸方向後方へ更に押し込まれる。これにより、ピストン２０の被ガイド部２３の軸方向後方側の一部が、インキタンク１０のスリーブ部１２の軸方向後方の端部から突出される。
【００４４】
次に、図７（Ｄ）に示すように、スリーブ部１２の軸方向後方の端部から突出した被ガイド部２３の軸方向後方側の当該一部に、ピストンガイド４０が、当該ピストンガイド４０のＵ字状の断面における一対の脚部４２の端部の側（開放側）から嵌め入れられる。そして、ピストンガイド４０の突起４３とスリーブ部１２の溝部１７とが、両者が係合するように、位置合わせされる。その後、軸方向後方側（図７（Ｄ）の右側）から、ノブ３０の雌ネジ部３０ｓが被ガイド部２３の雄ネジ部２３ｓにねじ込まれていき、これに伴って、ノブ３０の軸方向前方の端部が、ピストンガイド４０を軸方向前方の所定位置にまでスライド移動させていく。この間、スリーブ部１２の溝部１７が、ピストンガイド４０の突起４３を、軸方向に摺動させていく。
【００４５】
ピストンガイド４０を軸方向前方の所定位置にまでスライド移動させる過程において、図７（Ｅ）に示すように、ノブ３０の膨出部３１が、スリーブ部１２の隆起部１９ａ、１９ｂに当接する。そして、ノブ３０の雌ネジ部３０ｓを更にねじ込むと、スリーブ部１２の切り込み１８（図７（Ｂ）参照）の存在により、スリーブ部１２の軸方向後方の端部が拡径して、ノブ３０の膨出部３１のテーパ状の面取り部にスリーブ部１２の隆起部１９ａ、１９ｂが乗り上げる。その後、ノブ３０の雌ネジ部３０ｓを更にねじ込むと、膨出部３１は、スリーブ部１２の上方切り欠き１６ａ及び下方切り欠き１６ｂ（隆起部１９ａ、１９ｂが存在しない領域）と係合する。これにより、スリーブ部１２の軸方向後方の端部は、拡径前の状態に戻る。この時のピストンガイド４０の位置が、前記所定位置となる。
【００４６】
なお、ノブ３０の雌ネジ部３０ｓをねじ込むことでノブ３０をスリーブ部１２に対して相対移動させてノブ３０の膨出部３１とスリーブ部１２の上方切り欠き１６ａ及び下方切り欠き１６ｂとを係合させる代わりに、ノブ３０を単純にスリーブ部１２に対して軸方向に押し込むことでノブ３０をスリーブ部１２に対して相対移動させてノブ３０の膨出部３１とスリーブ部１２の上方切り欠き１６ａ及び下方切り欠き１６ｂとを係合させてもよい。
【００４７】
次に、図７（Ｆ）に示すように、スリーブ部１２の軸方向後方に、筒状のカバー５０が嵌められる。この時、スリーブ部１２の突部１５とカバー５０の凹条５１とが係合する。前述の通り、カバー５０には、内周面に当該カバー５０の軸方向の両端部から等距離の位置に２つの凹条５１が形成されている。このため、カバー５０を一側からでも他側からでもスリーブ部１２に嵌めることができる。
【００４８】
次に、本実施の形態のインキ吸入器１００の作用について説明する。
【００４９】
まず、万年筆等のケーシングを取り外して、インキ吸入器１００のノブ３０を露出させる。製品によっては、購入時に、図１（Ｂ）に示すように、ピストン２０がインキタンク１０のインキ収容部１１ｃの軸方向の最も前方に位置した状態にある。そうで無い場合には、ノブ３０を一方向に回転操作して、ノブ３０の雌ネジ部３０ｓを介してピストン２０の雄ネジ部２３ｓを送り出していくことにより、やはり図１（Ｂ）に示すように、ピストン２０をインキタンク１０のインキ収容部１１ｃの軸方向の最も前方に位置させる。
【００５０】
この回転操作によるピストン２０の雄ネジ部２３ｓの送り出しの際、インキタンク１０のスリーブ部１２の所定位置に内嵌されたピストンガイド４０のガイド部４１が、ピストン２０の被ガイド部２３を軸方向に摺動させる。これにより、当該ピストン２０は、軸線回りに回転することがない。
【００５１】
また、ノブ３０の回転操作によるピストン２０の雄ネジ部２３ｓの送り出しが続いていくと、ピストン２０の張出部２４がピストンガイド４０に当接する。これにより、それ以後の雄ネジ部２３ｓの送り出しが制限される（ストッパ機能）。これにより、ピストン２０の雄ネジ部２３ｓがノブ３０の雌ネジ部３０ｓから抜けてしまうことが防止される。この時のピストン２０の位置が、当該ピストン２０の軸方向の最も前方の位置である。
【００５２】
次に、万年筆等のペン先をインキ容器内のインキに浸し、その状態でノブ３０を反対方向に回転操作する。これに伴って、インキ収容部１１ｃ内のピストン２０が、当該インキ収容部１１ｃの軸方向後方（図１（Ｂ）の右側）へ移動される。これにより、インキ収容部１１ｃ内に負圧が生じて、インキがインキ容器内からペン先を介してインキ収容部１１ｃ内に吸入される。ノブ３０を反対方向に更に回転操作していくと、図１（Ａ）に示すように、ピストン２０がインキ収容部１１ｃの軸方向の最も後方まで移動される。これにより、インキ収容部１１ｃ内の略全体へのインキ吸入が完了する。
【００５３】
以上のような本実施の形態のインキ吸入器１００では、ロッド２１の被ガイド部２３よりも軸方向後方に、当該軸方向に見てガイド部４１の少なくとも一部と重なる張出部２４が形成されている。これにより、ノブ３０を回転操作することに伴ってピストン２０がインキタンク１０の軸方向前方へ移動していくと、ロッド２１の張出部２４とピストンガイド４０とが当接して、ロッドの雄ネジ部がノブの雌ネジ部から抜け落ちることが防止される。この結果、ピストンのフランジ部をインキ収容部の内周面の突条ないし段部に当接させる必要が無いため、ピストンの早期の劣化を防止することができる。
【００５４】
本実施の形態では、ピストンガイド４０は、Ｕ字状の断面を有しているため、組み立て作業者は、ピストンガイドを、Ｕ字状の断面における一対の脚部の端部４２ｅの側から容易にピストン２０の被ガイド部２３に嵌め入れることができる。このため、インキ吸入器１００の組み立て工程を簡素化することができる。
【００５５】
また、本実施の形態のガイド部４１は、対向する互いに平行な２つの平面として形成されている。この場合、ガイド部４１は、ピストン２０の被ガイド部２３を平面領域で摺動させるため、当該被ガイド部２３を一層安定的にガイドすることができる。
【００５６】
更に本実施の形態では、ピストンガイド４０のＵ字状の断面における一対の脚部の端部４２ｅ間の離間距離は、ガイド部４１としての２つの平面の離間距離よりも小さい。このため、ピストンガイド４０のＵ字状の断面における一対の脚部の端部４２ｅが、ピストンガイド４０のＵ字状の断面における一対の脚部の端部４２ｅの側へ向かう被ガイド部２３の動きを規制するため、当該被ガイド部２３を極めて安定的にガイドすることができる。
【００５７】
本実施の形態のピストンガイド４０の軸方向の左右２カ所の外周面には、断面が非円形とされた突起４３が設けられており、スリーブ部１２の内周面には、突起４３を軸方向に摺動させる溝部１７が設けられている。このため、突起４３と溝部１７とによってピストンガイド４０をスリーブ部１２内の所定位置まで容易にガイドすることができる。
【００５８】
次に、図８は、本発明の一実施の形態のインキ吸入器１００を含んだ万年筆１を示す概略縦断面図である。図８に示すように、この万年筆１は、本発明の一実施に相当するインキ吸入器２００と、ペン先３１０及び当該ペン先３１０に至るインキ連通孔３２０を有するペン先支持部３００と、が一体になっている。インキ吸入器２００のインキタンク２１０は、万年筆１の軸筒を兼ねている。また、図８に示すように、スリーブ部２１２の外側表面の一部には、第２雄ネジ部２１２ｓが設けられている。
【００５９】
また、万年筆１には、軸筒としてのインキタンク２１０の軸方向後方に軸筒後方部材４００が設けられている。軸筒後方部材４００は、スリーブ部２１２、及び、ノブ２３０のスリーブ部２１２の軸方向後方から突出した一部、を収容可能な内部空間を有している。更に、軸筒後方部材４００の 軸方向前方の内周面には、第２雌ネジ部４００ｓが設けられており、スリーブ部２１２の第２雄ネジ部２１２ｓと螺合するようになっている。
【００６０】
本実施の形態の万年筆１にインキを吸入させる場合、使用者は、軸筒後方部材４００をインキ吸入器２００に対して相対的に回転させて、軸筒後方部材４００をスリーブ部２１２の雄ネジ部２１２ｓから取り外し、ノブ２３０を露出させる。そして、万年筆１のペン先３１０をインキ容器内のインキに浸した状態で、前述した様にノブ２３０を回転操作すると、この回転操作に伴うピストン３２０の前後移動によって、インキがインキ容器内からペン先３１０を介してインキ収容部２１１ｃ内に吸入される。この場合も、ロッド２２１の張出部とピストンガイド２４０とが当接して、ロッド２２１の雄ネジ部２２３ｓがノブ２３０の雌ネジ部２３０ｓから抜け落ちることが防止される。この結果、ピストン２２１のフランジ部２２２をインキ収容部２１１ｃの内周面の突条ないし段部に当接させる必要が無いため、ピストン２２０の早期の劣化を防止することができる。
【符号の説明】
【００６１】
１  万年筆
１０  インキタンク
１１  円筒状部
１１ｃ  インキ収容部
１１ｔ  テーパ推移部
１２  スリーブ部
１２ｓ  第２雄ネジ部
１３  高摩擦部
１４  突条
１５  突部
１６ａ  上方切り欠き
１６ｂ  下方切り欠き
１７  溝部
１８  切り込み
１９ａ、１９ｂ  隆起部
２０  ピストン
２１  ロッド
２２  フランジ部
２３  被ガイド部
２３ｓ  雄ネジ部
２４  張出部
３０  ノブ
３０ｓ  雌ネジ部
３１  膨出部
４０  ピストンガイド
４１  ガイド部
４２  脚部
４２ｅ  脚部の端部
４３  突起
５０  カバー
５１  凹条
１００  インキ吸入器
２００  インキ吸入器
３００  ペン先支持部
３１０  ペン先
３２０  インキ連通孔
４００  軸筒後方部材
４００ｓ  第２雌ネジ部
【図１】
0006336376.tif 000002
【図２】
0006336376.tif 000003
【図３】
0006336376.tif 000004
【図４】
0006336376.tif 000005
【図５】
0006336376.tif 000006
【図６】
0006336376.tif 000007
【図７−１】
0006336376.tif 000008
【図７−２】
0006336376.tif 000009
【図８】
0006336376.tif 000010
【図９】
0006336376.tif 000011